(57)【要約】【課題】１個の上置棚を机本体に上昇位置と下降位置に変位して取り付けできるようにして、低学年での使用に際しては机本体の天板より上方へ突出する上置棚の背丈を高くし、高学年での使用に際しては机本体の天板より上方へ突出する上置棚の背丈を低くする。【解決手段】机本体１と上置棚１０とを別体に形成し、上置棚１０には棚板１６，１７を複数段設け、該上置棚１０全体を机本体１における天板３の上面後部に載置して取り外し可能に取り付けたり、上置棚１０を、その上下方向の中間部が机本体１の天板後部に位置した状態で取り外し可能に取り付けるようにする。【選択図】　　　　　図４
2004049798.tif 000002
【特許請求の範囲】
【請求項１】
机本体と上置棚とを別体に形成し、上置棚には棚板を複数段設け、該上置棚を、机本体の後部において、上昇した位置と下降した位置に変位可能に取り付けるようにしたことを特徴とする学習机。
【請求項２】
机本体と上置棚とを別体に形成し、上置棚には棚板を複数段設け、該上置棚全体を机本体における天板の上面後部に載置して取り外し可能に取り付けたり、上置棚を、その上下方向の中間部が机本体の天板後部に位置した状態で取り外し可能に取り付けるようにしたことを特徴とする学習机。
【請求項３】
机本体の天板の下部に形成される下部空間の後側に、前記上置棚の下側に設けた棚板の部分を前記下部空間に挿入できる開口部を形成した請求項１又は２記載の学習机。
【請求項４】
前記上置棚を形成する両側板に、上側の棚板と下側の棚板との間において、前側が開口する凹部を形成し、該凹部に机本体における天板の後部を嵌合するようにした請求項１又は２又は３記載の学習机。
【請求項５】
前記上置棚を形成する側板の凹部を、該側板の上下方向の略中央部に１個形成し、該凹部の上側に１個の棚板を設け、凹部の下側に１個の棚板を設けた請求項４記載の学習机。
【請求項６】
前記上置棚における両側板の外のり寸法を、机本体の両脚の内のり寸法よりも短く設定した請求項４又は５記載の学習机。
【請求項７】
前記机本体の天板の後端に、前記上置棚における両側板の前部が嵌合する切欠部を形成した請求項４乃至６のいずれかに記載の学習机。
【請求項８】
机本体と上置棚とを別体に形成し、机本体の天板下側に形成された下部空間の後部に開口部を形成し、上置棚を形成する両側板の外のり寸法を、机本体の両脚の内のり寸法よりも短く設定し、両側板には、前方側が開口する凹部を形成し、該両側板間に、前記凹部の上側と下側に位置して棚板を横架し、前記机本体と上置棚には、上置棚を机本体の天板上面に載置した状態で天板に取り外し可能に取り付ける取付手段と、上置棚を、その両側板の凹部を机本体の天板の後部に嵌合した状態で机本体に取り外し可能に取り付ける取付手段とを設けたことを特徴とする学習机。
【請求項９】
前記下部空間の後部に形成した開口部の下側に机本体の両脚相互を連結する足下背板を設け、該足下背板の上端を前記上置棚の底面を受ける支承面にした請求項８記載の学習机。
【発明の詳細な説明】
【０００１】
【発明の属する技術分野】
本発明は学習机に関する。
【０００２】
【従来の技術】
従来、学童用の学習机において、その机の天板上面の後部に上置棚を天板に取り外し不能に固定した学習机や、天板上面の後部に上置棚全体を取り外し可能に付設し、上置棚の不使用時にはその上置棚全体を机から完全に取り外して使用しないようにした学習机が知られている。
【０００３】
【発明が解決しようとする課題】
ところで、学習机においては、低学年での使用に際しては、机の天板上面の後部に複数段の棚板を有する背丈の高い上置棚を設けることが望まれているが、高学年になると、上記の背丈の高い上置棚が圧迫感やこどもっぽい感じを与えることから、この上置棚を低くしたいか、或いは不要にするとともに天板上面を広く使いたいという要望がある。
【０００４】
しかし、前記従来のように上置棚を天板に取り外し不能に固定した学習机においては、高学年になった場合に前記の要望に応えることができない。
【０００５】
また、前記従来のように、上置棚を机から取り外すことができる学習机においては、高学年になったときに、その取り外した上置棚を、その上置棚の組立状態或いは分解状態で部屋に置くことは、これが邪魔になり、また、廃棄物として処分することも困難であり、結局、その上置棚の処分が困難で、その上置棚を付設したまま使用し続けることになり、上記の要望に応えられない。
【０００６】
また、上置棚を２段で、かつ上下に２分割して上記の要望に応えるようにしてもよいが、１段のみ使用する場合には、他の段の処分に困る問題がある。
【０００７】
そこで、本発明は前記の要望に応えることができるとともに前記のような処分の問題も解決できる学習机を提供することを目的とするものである。
【０００８】
【課題を解決するための手段】
前記の課題を解決するために、請求項１記載の第１の発明は、机本体と上置棚とを別体に形成し、上置棚には棚板を複数段設け、該上置棚を、机本体の後部において、上昇した位置と下降した位置に変位可能に取り付けるようにしたことを特徴とする学習机である。
【０００９】
本発明において、上置棚を、その複数の棚板が天板よりも上方に位置するように上昇させた状態で机本体側に取り付けることにより、低学年用に適する学習机にすることができ、また、上置棚を、例えば１個の棚板が天板よりも上方に位置するように下降させた状態で机本体側に取り付けることにより、高学年用に適する学習机にすることができる。
【００１０】
請求項２記載の第２の発明は、机本体と上置棚とを別体に形成し、上置棚には棚板を複数段設け、該上置棚全体を机本体における天板の上面後部に載置して取り外し可能に取り付けたり、上置棚を、その上下方向の中間部が机本体の天板後部に位置した状態で取り外し可能に取り付けるようにしたことを特徴とする学習机である。
【００１１】
本発明においては、上置棚全体を机本体の天板上面に載置することにより、上置棚に設けた複数の棚板を机本体の天板の上方に位置させて低学年用に適する学習机にすることができ、また、上置棚を、その中間部が天板の後部に位置するように取り付けることにより、天板上に位置する棚板を例えば１個にして、高学年用に適する学習机にすることができる。
【００１２】
請求項３記載の第３の発明は、前記第１又は第２の発明において、机本体の天板の下部に形成される下部空間の後側に、前記上置棚の下側に設けた棚板の部分を前記下部空間に挿入できる開口部を形成した学習机である。
【００１３】
本発明においては、上置棚を下降して設けた場合に、上置棚の下側に配置した棚板を下部空間に収納でき、かつ、この下部空間に配置された棚板を、下部空間を通して利用することができる。
【００１４】
請求項４記載の第４の発明は、前記第１又は第２又は第３の発明において、前記上置棚を形成する両側板に、上側の棚板と下側の棚板との間において、前側が開口する凹部を形成し、該凹部に机本体における天板の後部を嵌合するようにした学習机である。
【００１５】
本発明においては、上置棚を下降して使用する場合に、上置棚の両側板に形成した凹部を机本体の天板の後部に嵌合することにより、天板後端から上置棚の後端までの奥行きを短くできるとともに、凹部によって、両側板の前部を天板の上面から離間させて天板上面の広さを広く感じさせることができる。
【００１６】
請求項５記載の第５の発明は、前記第４の発明において、前記上置棚を形成する側板の凹部を、該側板の上下方向の略中央部に１個形成し、該凹部の上側に１個の棚板を設け、凹部の下側に１個の棚板を設けた学習机である。
【００１７】
本発明においても前記第４の発明と同様の効果を発揮できる。
請求項６記載の第６の発明は、前記第４又は第５の発明において、前記上置棚における両側板の外のり寸法を、机本体の両脚の内のり寸法よりも短く設定した学習机である。
【００１８】
本発明においては、上置棚を下降して取り付けた場合に、上置棚の両側板が机本体の両脚間に収まり、両脚が板状で机本体の前後方向の全長にわたって形成されている場合にも、上置棚の下側部を机本体の天板の下部空間に収めることができる。
【００１９】
請求項７記載の第７の発明は、前記第４乃至第６のいずれかに記載の発明において、前記机本体の天板の後端に、前記上置棚における両側板の前部が嵌合する切欠部を形成した学習机である。
【００２０】
本発明においては、上置棚の両側板に形成した凹部を天板に形成した切欠部に嵌合することにより、天板の後端から上置棚の後端までの奥行きを、一層短くすることができる。
【００２１】
請求項８記載の第８の発明は、机本体と上置棚とを別体に形成し、机本体の天板下側に形成された下部空間の後部に開口部を形成し、上置棚を形成する両側板の外のり寸法を、机本体の両脚の内のり寸法よりも短く設定し、両側板には、前方側が開口する凹部を形成し、該両側板間に、前記凹部の上側と下側に位置して棚板を横架し、前記机本体と上置棚には、上置棚を机本体の天板上面に載置した状態で天板に取り外し可能に取り付ける取付手段と、上置棚を、その両側板の凹部を机本体の天板の後部に嵌合した状態で机本体に取り外し可能に取り付ける取付手段とを設けたことを特徴とする学習机である。
【００２２】
本発明においても前記の各効果を発揮できる。
請求項９記載の第９の発明は、前記第８の発明において、前記下部空間の後部に形成した開口部の下側に机本体の両脚相互を連結する足下背板を設け、該足下背板の上端を前記上置棚の底面を受ける支承面にした学習机である。
【００２３】
本発明においては、上置棚を下降配置した場合に、その上置棚の底面を足下背板で支承し、上置棚を一層安定した状態で強固に保持することができる。
【００２４】
【発明の実施の形態】
本発明の好ましい実施の形態を図に示す実施例に基づいて説明する。
【００２５】
図に示す実施例は、上置棚を２段の棚板で形成した実施例であり、図１乃至図４は上置棚を、棚板が２段となる状態で使用する態様を示す。図５は机本体の平面図、図６は上置棚のみの斜視図、図７及び図８は取付手段を示す斜視図、図９乃至図１２は上置棚を、棚板が１段となる状態で使用する態様を示す。
【００２６】
これらの図において、机本体１は、板状の両脚２，２と、これら両脚２，２間に架設した天板３と、該天板３の下面に設けた引き出し４と、前記両脚２，２の後部下方において架設した足下背板５と足下棚６とからなる。
【００２７】
前記天板３の後端両側部、より詳しくは、後述する上置棚１０の両側板１１と合致する位置には、図５に示すように、後方が開口する切欠部７，７が形成されている。
また、天板３の両側端、すなわち、後述する取付手段２６を付設する部分には、取付手段２６を嵌合する取付用凹部３ａが形成されている。
【００２８】
前記天板３の下側、詳しくは引き出し４の下側には、両脚２，２間において下部空間８が形成されている。また、前記足下背板５は図に示すように背丈の小さい帯板状で、両脚２，２の下部に配置され、該足下背板５と天板３間に開口部９が形成され、該開口部９によって前記下部空間８と机本体１の後側とが連通している。
【００２９】
次に上置棚１０について説明する。
上置棚１０を構成する両側板１１，１１は、これらを前記机本体１における両脚２，２間に挿入できる間隔に、すなわち、両側板１１，１１の外のり寸法が両脚２，２間の内のり寸法よりも短い間隔で配置されている。また、この両側板１１，１１間に、上部に位置して上部背板１２が、中間に位置して中間背板１３が、下部に位置して下部背板１４が架設されている。また、前記下部背板１４は、図２，３に示すように、その下端１４ａが両側板１１の底面１１ａから下方へ若干突出するように設けられており、この突出部１４ｂが位置決め用のストッパの役目をしている。また、前記のような間隔に両側板１１を配置したことによって、両側板１１，１１が、図５に示すように、前記天板３に形成した切欠部７，７に嵌入するようになっている。
【００３０】
更に、前記両側板１１，１１には、その上下方向の略中央部において、前側が開口する凹部１５を形成して、くびれ部１１ｂが形成されており、該凹部１５を境としてその上方に上段部１１ｃが前方へ突出する状態で形成され、下方に下段部１１ｄが前方へ突出する状態で形成されている。また、前記下段部１１ｄの上下方向の長さは、前記天板３と足下背板５との間に形成された開口部９から下部空間８内に挿入できる長さに形成されており、より詳しくは、両側板１１の凹部１５を図１１に示すように天板３の後部に嵌合した状態において、両側板１１の底面１１ａが前記足下背板５の上端である支承面５ａに載置される長さに形成されている。
【００３１】
前記両側板１１，１１の上段部１１ｃ，１１ｃ間には上棚板１６が横架されており、また、下段部１１ｄ，１１ｄ間には下棚板１７が横架されている。また、図１１に示すように、前記凹部１５の位置において、両側板１１，１１を天板３に嵌合した状態において、上棚板１６と天板３との間に所定の空隙１８を有し、下棚板１７と天板３との間に所定の空隙１９を有するように上棚板１６と下棚板１７の上下方向の位置が設定されている。
【００３２】
更に、前記上棚板１６には仕切板２０が設けられ、下棚板１７上には仕切板２１が設けられている。また、仕切板２１は前記空隙１９内に収まるように形成されている。
【００３３】
上置棚１０は図６に示すように、机本体１とは別体で、上棚板部と下棚板部が一体状の１個の上置棚として形成されており、該上置棚１０を、机本体１に対して取付手段により、分離可能に取り付けるようになっている。この取付手段について説明する。
【００３４】
前記上置棚１０における両側板１１，１１の下部には図７に示すようにナット２２が、両側板１１の外側方を開口して埋設されている。また、図７に示すように、天板３の側面と上面と下面に沿ったコ字状に形成された嵌合部２３ａと、該嵌合部２３ａより立ち上げた取付片２３ｂと、前記嵌合部２３ａの下片２３ｃに形成したボルト穴２３ｄと、前記取付片２３ｂに形成したボルト穴２３ｅとからなる取付金具２３を用意する。そして、上置棚１０における両側板１１の底面１１ａを天板３の上面後部に載置した状態で、前記取付金具２３を図７に示すように天板３の側部に形成した取付用凹部３ａに嵌合し、ボルト２４をボルト穴２３ｄにねじ込んで取付金具２３を天板３に固定し、また、ボルト２５をボルト穴２３ｅに挿通するとともにナット２２に螺合して、上置棚１０の両側板１１を天板３に取り外し可能に付設固定するようになっている。これらの取付部品により第１の取付手段２６を構成している。
【００３５】
また、前記机本体１における両脚２，２の上部には、図８に示すように、内外方向に貫通する取付穴２７が形成されている。また、上置棚１０における両側板１１の上下方向の略中央部、すなわち、両側板１１の凹部１５を天板３の後部に嵌合した状態において、前記取付穴２７と合致する位置には、ナット２８が設けられている。そして、上置棚１０の凹部１５を天板３の後部に嵌合した図９乃至図１２の状態で、ボルト２９を前記取付穴２７に挿通するとともにナット２８に螺合することにより、上置棚１０を机本体１に取り外し可能に付設固定できるようになっている。これらの取付部品により第２の取付手段３０を構成している。
【００３６】
次に前記実施例の使用状態について説明する。
先ず、低学年のときは、図１乃至図４に示すように、上置棚１０を上昇位置におく。図の実施例では上置棚１０における両側板１１の底面１１ａを天板３の上面に、すなわち上置棚１０全体を天板上面の後方の所定位置に載置する。このとき、下部背板１４の突出部１４ｂを天板３の後端面に当接することにより、これが位置決めとなって両側板１１、すなわち上置棚１０を所定位置にセットすることができる。そして、取付手段２６により上置棚１０を天板３に前記のように取り外し可能に固定する。
【００３７】
これにより、天板３の後部上面から上方に、上下２段の棚板１６，１７を有する背丈の高い上置棚１０の全体が立設された状態になり、低学年用として適する上置棚を有する学習机になる。
【００３８】
また、前記下部背板１４が天板３の上面の後部を閉塞するため、この下部背板１４によって、天板３の上面に置いた物が後方から落下することを防止できる。
【００３９】
次に、高学年になった場合には、上置棚１０を下降させる。図の実施例では、前記低学年状態の上置棚１０を、第１の取付手段２６の両ボルト２４，２５を外して天板３から取り外す。次に、この取り外した上置棚１０を、図９乃至図１２に示すように、その両側板１１に形成した凹部１５を、天板３に形成した切欠部７において天板３の後部に嵌合して配置するとともに、第２の取付手段３０によって前記のように上置棚１０の両側板１１と机本体１の両脚２とを取り外し可能に固定する。これにより、上置棚１０の両側板１１の底面１１ａが足下背板５の支承面５ａ上に載置され、この載置とともに前記の第２の取付手段３０の取り付けによって、上置棚１０を強固に、かつ、安定した状態で机本体１の後部に付設される。
【００４０】
このような上置棚１０の付設により、図１１に示すように、その上置棚１０の両側板１１における下段部１１ｄと下棚板１７と仕切板２１が机本体１の下部空間８内に略収納される。このとき、両側板１１の凹部１５によって、両側板１１が天板３に嵌合するため、可及的に上置棚１０を前方へ配置することができ、机本体１の後方への上置棚１０の突出量を少なくすることができる。更に、両側板１１における凹部１５の形状、特に上段部１１ｃの下端面１１ｅの形状を、図１０に示すように、天板３の上面から離間した形状に形成することにより、天板３の上面と両側板（上段部１１ｃ）との間に所望の隙間ｄが形成される。したがって、天板３の上面の両側部での両側板１１の奥行きが狭くなるとともに、前記隙間ｄの存在によって、天板３の上面を広く使用することができるとともに、天板３の上面をより広く感じさせることができる。
【００４１】
更に、上置棚１０は、前記図１乃至図４のように天板３の上面に載置する低学年用状態に比べて、略くびれ部１１ｂの分、天板３の後方に配置されて、両側板１１の前端面が後退することになる。したがって、その後退分、天板３の上面を広く使用できる。
【００４２】
また、天板３の後部に切欠部７を形成して、該切欠部７に両側板１１を嵌入させるようにしたので、天板３の後端と上置棚１０の後端との間の隙間、すなわち、天板３と部屋の壁面との間の隙間を少なくすることができる。
【００４３】
更に、天板３の上面から上方へ突出するのは、上置棚１０における両側板１１の上段部１１ｃと上棚板１６及び仕切板２０のみであり、見かけ上、背丈の低い上置棚になって、圧迫感がなくなる。したがって、高学年用として適する学習机となる。
【００４４】
また、机本体１の下側空間８に位置する下棚板１７には、下側空間８を通じて書籍等を収納したり取り出したりすることができ、下棚板１７を有効に利用することができる。
【００４５】
なお、前記実施例は、上置棚の両側板１１に１個の凹部１５と２個の棚板１６，１７を設けたが、その凹部１５を上下方向に複数設けてもよく、また棚板を３段以上含む複数個設けてもよい。
【００４６】
また、前記の取付手段２６及び３０は前記の実施例の構造のものに限るものではなく、上置棚１０を取り外し可能に取り付けることができるものであれば、その他の取付手段を用いてもよい。
【００４７】
更に、机本体１の両脚２，２の構造によっては、上置棚１０の両側板１１，１１を、両脚２，２よりも外側に位置するように形成してもよい。
【００４８】
【発明の効果】
以上のようであるから本発明によれば、低学年での使用に際しては、上置棚を上昇させて机本体に取り付けることにより、机本体の天板上面より上部に、複数段の棚板を有する背丈の高い上置棚を備えた学習机にして低学年用に適する学習机にすることができ、また、高学年になった際には、前記の上置棚を、前記状態から取り外して、前記の状態より下降させた状態で机本体に取り付けることにより、机本体の天板上面よりも上部に立ち上がる上置棚の背丈を低くして、圧迫感をなくし、高学年用に適する学習机に変化させることができる。
【００４９】
更に、前記のように上置棚を低くした場合にも、その上置棚を机本体に付設した状態に置くため、前記従来のように、上置棚を机本体とは別にして部屋に置いたり、廃棄するなどの処分に困ることがない。
【００５０】
更に、上置棚を下降した場合には、その上置棚の下側に設けられている棚板を、机本体の天板下側に形成された下部空間、すなわち、足元を通じて有効に利用することもできる。
【００５１】
更に、部屋の大きさや窓の位置に合わせて、上置棚を上昇位置や下降位置に付け替えることもできる。
【００５２】
また、上置棚に凹部を形成することにより、上置棚を下降して高学年用にした場合、その机本体の天板上面位置での上置棚を奥行きが短くなり、天板上面の使用範囲を広くすることができるとともに、天板上面の広さをより広く感じさせることができる。
【図面の簡単な説明】
【図１】本発明の実施例の学習机を示すもので、上置棚を上昇、すなわち天板上に載置した状態の正面図。
【図２】図１における右側面図。
【図３】図１におけるＡ−Ａ線断面図。
【図４】図１における斜視図。
【図５】図１における机本体の平面図。
【図６】図１における上置棚のみの斜視図。
【図７】図１における上置棚を天板上に載置した状態で天板に取り付けるための取付手段を示す斜視図。
【図８】上置棚を下降させた状態で机本体側に取り付けるための取付手段を示す一部正断面図。
【図９】図１の状態から上置棚を外してその上置棚を下降状態で机本体に取り付けた状態を示す正面図。
【図１０】図９における右側面図
【図１１】図９におけるＢ−Ｂ線断面図。
【図１２】図９における斜視図。
【符号の説明】
１　　机本体
２　　脚
３　　天板
５　　足下背板
５ａ　　支承面
７　　切欠き
８　　下部空間
９　　開口部
１０　上置棚
１１　側板
１５　凹部
１６，１７　　棚板
２６，３０　　取付手段
【図１】
2004049798.tif 000003
【図２】
2004049798.tif 000004
【図３】
2004049798.tif 000005
【図４】
2004049798.tif 000006
【図５】
2004049798.tif 000007
【図６】
2004049798.tif 000008
【図７】
2004049798.tif 000009
【図８】
2004049798.tif 000010
【図９】
2004049798.tif 000011
【図１０】
2004049798.tif 000012
【図１１】
2004049798.tif 000013
【図１２】
2004049798.tif 000014